(57)【特許請求の範囲】
【請求項１】
上下方向に沿う軸廻りに回転されて前後反転可能とされた収納体を保持する上下の回転機構部を、前方に開口する箱体に設けた収納装置であって、
前記上下の回転機構部には、前記収納体の収納状態における間口方向中央部の上下両端部のそれぞれに設けられた中央ガイド体を、前記軸とともに前後方向に移動自在にガイドする上下のレール部と、前記収納体の収納状態における間口方向一方側部位の上下両端部のそれぞれに設けられた側部ガイド体をガイドする上下の湾曲ガイド溝と、が設けられており、
前記上下の湾曲ガイド溝は、前記側部ガイド体を、間口方向中央部に向かうに従い奥側に移動させるようにガイドする湾曲溝部と、この湾曲溝部の間口方向両側端部に連なって間口方向に平行に延びるように設けられ、前記側部ガイド体を、間口方向に沿って移動させるようにガイドする直線溝部と、をそれぞれに備えていることを特徴とする収納装置。
【請求項２】
請求項１において、
前記回転機構部は、前記収納体が前後反転される際に、前記中央ガイド体が前記箱体内において移動するように該中央ガイド体をガイドする構造とされていることを特徴とする収納装置。
【請求項３】
請求項１または２において、
前記回転機構部には、収納状態とされた前記収納体の移動を抑制する移動抑制部が設けられていることを特徴とする収納装置。
【請求項４】
請求項１乃至３のいずれか１項において、
前記収納体の上下両端部に設けられた中央ガイド体の両方または一方は、当該収納体の上下方向に沿う前記軸と同軸状とされた軸廻りに回転するガイドローラーと、このガイドローラーから前後方向に間隔を空けて設けられ前記レール部の両溝側壁に当接されて当該中央ガイド体が直進するようにガイドする直進ガイド部と、を備えていることを特徴とする収納装置。
【請求項５】
請求項１乃至４のいずれか１項において、
前記収納体の下端部側に設けられた中央ガイド体には、間口方向に沿う軸廻りに回転し下側のレール部の溝底を転動する支持ローラーが設けられていることを特徴とする収納装置。
【発明の詳細な説明】
【技術分野】
【０００１】
本発明は、箱体に、被収納物を収納する収納体を回転自在に設けた収納装置に関する。
【背景技術】
【０００２】
従来より、前方に開口する箱体に、上下方向に沿う軸廻りに回転自在に回転収納体を設けた回転収納装置が知られている。このような回転収納装置では、回転収納体を回転させるために、箱体の奥側面と回転収納体との間にスペースを確保する必要があった。
例えば、下記特許文献１には、回転収納体を、前後方向に移動させながら１８０°反転（前後反転）可能とした回転収納装置が開示されている。この回転収納装置は、回転収納体の上下両側の中央部に、上下のレールに沿ってスライド自在な走行体を設け、レールの後端側に回動自在に連結した連結アームの先端部を、回転収納体の上下両側の間口方向一方側に回転自在に連結した構成とされている。
【先行技術文献】
【特許文献】
【０００３】
【特許文献１】特開平１０−５０５５号公報
【発明の概要】
【発明が解決しようとする課題】
【０００４】
しかしながら、上記特許文献１に記載された回転収納装置では、後端側を回動支点として回転する連結アームによって回転収納体の移動をガイドする構成としているので、回転収納体を前後反転させる際に、回転収納体の前方への突出量が大きくなることが考えられた。つまり、回転収納体を前後反転させる際に、回転収納体との連結部となる連結アームの先端部が、間口方向中央に向かうに従い前方に移動することとなり、これに伴い中央部の走行体もレールに対して前方に向けて大きく移動することとなる。
【０００５】
本発明は、上記実情に鑑みてなされたものであり、箱体の奥行寸法を効率的に小さくすることが可能でありながらも、収納体を前後反転させる際における収納体の前方への突出量を低減し得る収納装置を提供することを目的としている。
【課題を解決するための手段】
【０００６】
上記目的を達成するために、本発明に係る収納装置は、上下方向に沿う軸廻りに回転されて前後反転可能とされた収納体を保持する上下の回転機構部を、前方に開口する箱体に設けた収納装置であって、前記上下の回転機構部には、前記収納体の収納状態における間口方向中央部の上下両端部のそれぞれに設けられた中央ガイド体を、前記軸とともに前後方向に移動自在にガイドする上下のレール部と、前記収納体の収納状態における間口方向一方側部位の上下両端部のそれぞれに設けられた側部ガイド体をガイドする上下の湾曲ガイド溝と、が設けられており、前記上下の湾曲ガイド溝は、前記側部ガイド体を、間口方向中央部に向かうに従い奥側に移動させるようにガイドする湾曲溝部と、この湾曲溝部の間口方向両側端部に連なって間口方向に平行に延びるように設けられ、前記側部ガイド体を、間口方向に沿って移動させるようにガイドする直線溝部と、をそれぞれに備えていることを特徴とする。
【発明の効果】
【０００７】
本発明に係る収納装置は、上述のような構成としたことで、箱体の奥行寸法を効率的に小さくすることが可能でありながらも、収納体を前後反転させる際における収納体の前方への突出量を低減させることができる。
【図面の簡単な説明】
【０００８】
【図１】本発明の一実施形態に係る収納装置の一例を模式的に示す一部省略概略斜視図である。
【図２】同収納装置の一部を省略した一部破断概略縦断面図である。
【図３】同収納装置の一部を省略した一部破断概略横断面図である。
【図４】（ａ）は、図２に対応させた一部破断概略拡大縦断面図、（ｂ）は、図３に対応させた一部破断概略拡大横断面図である。
【図５】（ａ）〜（ｄ）は、同収納装置が備える収納体の前後反転動作の一例を模式的に示す一部を省略した一部破断概略横断面図である。
【図６】（ａ）〜（ｃ）は、本発明の他の実施形態に係る収納装置の一例を模式的に示し、同収納装置が備える収納体の前後反転動作の一例を模式的に示す一部を省略した一部破断概略横断面図である。
【発明を実施するための形態】
【０００９】
以下に本発明の実施の形態について、図面に基づいて説明する。
なお、一部の図では、他図に付している詳細な符号の一部を省略している。
また、以下の実施形態では、設置された収納装置に開口側において対面した状態を基準として、手前側を前方、その逆側を後方とし、また、その状態を基準として、上下方向及び左右方向の方向を説明する。また、収納装置の収納体が図１〜図３に示すように箱体に収納された状態を基準として、同方向を原則的に説明する。
【００１０】
図１〜図５は、第１実施形態に係る収納装置の一例を模式的に示す図である。
本実施形態に係る収納装置としての回転収納装置１は、図１〜図３に示すように、上下方向に沿う軸１７，２０廻りに回転されて前後反転可能とされた収納体としての回転収納体１０を保持する上下の回転機構部３０，３０を備えている。また、この回転収納装置１は、これら上下の回転機構部３０，３０を、前方に開口する箱体２に設けた構成とされている。
この回転収納装置１は、玄関土間や玄関フロアー等に設置され、靴等を収納する玄関収納装置としてもよく、その他、キッチンやリビング等に設置されるものとしてもよい。また、回転収納装置１は、このような住居内に設置されるものに限られず、種々の建物内に設置されるものとしてもよい。
【００１１】
箱体２は、前方に開口した正面視略矩形状の箱状とされている。この箱体２は、天面部３と底面部４と背面部５と左右一対の側面部６，６とを備え、これらによって回転収納体１０の収納空間を区画形成している。この収納空間は、前後寸法（収納奥行寸法）よりも左右寸法（収納間口寸法）が大きく形成されている。
なお、これら各面部３，４，５，６，６は、板材からなるものとしてもよく、また、箱体２は、木質系材料や金属系材料、合成樹脂系材料等から形成されたものとしてもよい。
また、箱体２の前方開口を開閉する扉を設けてもよい。また、回転収納体１０の収納空間の上側や下側等に更に他の収納空間を設けた態様としてもよい。この場合は、横仕切板等によって上下の収納空間を区画するようにしてもよい。また、箱体２は、少なくとも前方に開口したものであればよく、前後両側に開口したものでもよい。
【００１２】
回転収納体１０は、上下方向に沿う軸１７，２０廻りに１８０°回転自在に箱体２に設けられて前後反転可能とされている。本実施形態では、回転収納体１０を、正面視略矩形枠状の枠体１１と、この枠体１１に保持される収納部を構成する棚板１６と、を備えた構成としている。この回転収納体１０は、枠体１１内に棚板１６を配置することで、上下に複数段の収納部を区画する構成とされている。
枠体１１は、上枠部１２と下枠部１３と左右一対の縦枠部１４，１４とを備えている。
この枠体１１は、図２及び図３に示すように、回転収納体１０が箱体２に収納された状態で、箱体２内の前後方向（奥行方向）略中央部に配置される。
なお、この枠体１１は、例えば、金属系材料等の剛性材料から形成されたものとしてもよい。
【００１３】
上枠部１２及び下枠部１３は、それぞれ左右方向（間口方向）に沿って長尺とされている。左右の縦枠部（両側の縦枠部）１４，１４は、それぞれ上下方向に沿って長尺とされている。これら上枠部１２、下枠部１３及び両側の縦枠部１４，１４は、長手方向に見て略矩形状とされており、例えば、筒状材から形成されたものとしてもよい。上枠部１２と下枠部１３とは、互いに略平行に配置され、両側の縦枠部１４，１４は、互いに略平行に並んで配置されている。
また、両側の縦枠部１４，１４の上端部に、上枠部１２の長手方向両端部が固定され、両側の縦枠部１４，１４の下端部に、下枠部１３の長手方向両端部が固定されている。
なお、これら上枠部１２、下枠部１３及び両側の縦枠部１４，１４からなる枠体１１は、一体的に形成されたものとしてもよく、各枠部１２，１３，１４，１４の端部を適宜、ねじ等の止具や溶接等によって連結して形成されたものとしてもよい。
【００１４】
なお、回転収納体１０を、後記するように前後反転させる際に把持される把持部を設けるようにしてもよい。例えば、一方の縦枠部１４の長手方向（上下方向）の途中部位等に、把持部を設けるようにしてもよい。
また、これら両側の縦枠部１４，１４間に、架け渡すように棚板１６が設けられる。
この棚板１６は、幅方向（間口方向）両側端部が両側の縦枠部１４，１４に適宜の固定具によって固定されたものとしてもよく、または、両側の縦枠部１４，１４に対して着脱可能に取り付けられる構成とされたものとしてもよい。図例では、両側の縦枠部１４，１４の互いに対向する内側面側に、棚板１６の幅方向両側端部をそれぞれに保持する保持具を着脱可能に保持する係合保持部としての差込穴１５を、上下方向に沿って間隔を空けて複数箇所に設けた例を示している。このような構成とすれば、棚板１６の枚数や配設する高さ位置を変更することができる。
【００１５】
このような収納部を構成する棚板１６の前後寸法が比較的に大きいような場合にも、後記するように回転収納体１０を回転させて１８０°反転させることで、物品出し入れ性を向上させることができる。
なお、図例では、平板状とされた一枚の棚板１６を設けた例を示しているが、上下方向に間隔を空けて複数枚の棚板１６を設けた態様としてもよい。
また、図例では、四隅を切除したような平面視して略八角形状とされた棚板１６を例示しているが、このような態様に限られない。例えば、平面視した状態における四隅部にＣ面取り状やＲ面取り状の面取り部を設けた棚板１６としてもよく、また、幅方向両側や奥行方向両側等に立ち上がり部を設けたトレー状の棚板１６としてもよい。
【００１６】
また、図例では、物品載置部となるその上面が水平状となるように水平状態で両側の縦枠部１４，１４に棚板１６を保持させた例を示しているが、このような態様に限られない。例えば、前傾状態または後傾状態で両側の縦枠部１４，１４に棚板１６を保持させるようにしてもよい。この場合、複数枚の棚板１６を、上下交互に異なる側に傾斜するように設けた構成としてもよい。このように棚板１６を傾斜させることで、例えば、被収納物を靴等とした場合には、効率的に収納することができる。また、このように上下交互に前傾状態の棚板と後傾状態の棚板とを設けた場合にも、後記するように回転収納体１０を回転させて１８０°反転させることで、後傾状態の棚板を前傾状態に切り替えることができ、物品出し入れ性を向上させることができる。このような構成とすれば、当該回転収納装置１（回転収納体１０）の収納空間を効率的に利用することができる。
【００１７】
なお、回転収納体１０の収納部としては、上記のような棚板１６に限られず、例えば、網籠状（ラック状）とされたものや、ボトル収納ラック状とされたもの、さらには棒状の引掛け部材等、被収納物の種類等に応じて種々の形状とされた収納部の採用が可能である。また、当該回転収納装置１に収納される被収納物としては、靴等の履物に限られず、衣類や傘、帽子等でもよく、その他、書籍や、装飾品、食器、食料品、ボトル、調味料、各種ディスク等の記録媒体等でもよい。
また、収納部を保持する収納本体としては、上記のような枠体１１に限られない。例えば、収納空間を前後に区分するような板状とされたものや、上下方向に沿う軸１７，２０と略同軸状とされた上下に延びる棒状とされたもの、収納状態において前後両側に開口する収納部を一体的に設けたもの等、種々の形状とされた収納本体としてもよい。
【００１８】
また、回転収納体１０には、図１〜図３に示すように、当該回転収納体１０の上下両側に設けられた回転機構部３０，３０にガイドされるガイド体１８，２８，２２，２８が設けられている。
この回転収納体１０は、収納状態における間口方向中央部の上下両端部のそれぞれに中央ガイド体１８，２２を設け、収納状態における間口方向一方側部位の上下両端部のそれぞれに側部ガイド体２８，２８を設けた構成とされている。
上下の回転機構部３０，３０には、回転収納体１０の中央ガイド体１８，２２を、回転収納体１０の軸１７，２０とともに前後方向に移動自在にガイドする上下のレール部３１，３１が設けられている。また、上下の回転機構部３０，３０には、回転収納体１０の側部ガイド体２８，２８を、間口方向中央部に向かうに従い奥側に移動させるようにガイドする上下の湾曲ガイド溝３５，３５が設けられている。
【００１９】
回転収納体１０の上下の中央ガイド体１８，２２は、当該回転収納体１０の軸１７，２０の上下両側に位置するように設けられている。
本実施形態では、これら上下の中央ガイド体１８，２２の両方または一方を、当該回転収納体１０の軸１７，２２と同軸状とされた軸１９ａ，２４ａ廻りに回転するガイドローラー１９，２４を備えた構成としている。また、これら上下の中央ガイド体１８，２２の両方または一方を、ガイドローラー２４から前後方向に間隔を空けて設けられ中央ガイド体２２が直進するようにガイドする直進ガイド部２６を備えた構成としている。
本実施形態では、上下の中央ガイド体１８，２２の両方にガイドローラー１９，２４を設け、上下の中央ガイド体１８，２２のうちの一方の下端側中央ガイド体２２に、直進ガイド部２６を設けた構成としている。
【００２０】
上端側中央ガイド体１８は、当該回転収納体１０の上下方向に沿う軸としての上端側軸１７と同軸状とされたローラー軸１９ａ廻りに、上端側中央ガイドローラー１９を回転自在に設けた構成とされている。
上端側軸１７は、回転収納体１０を収納させた状態で、箱体２の収納空間の平面視略中心に位置するように設けられている。また、この上端側軸１７は、上枠部１２の長手方向略中央に位置するように設けられており、図例では、上枠部１２を貫通するように設けられている。この上端側軸１７は、本実施形態では、上枠部１２に対して固定的に設けられ、かつ上端側中央ガイドローラー１９のローラー軸１９ａを一体的に設けた構成とされている。換言すれば、上端側中央ガイド体１８に一体的に上端側軸１７を設けた構成としている。なお、上端側軸１７を上枠部１２に固定的に設けた態様に代えて、上枠部１２に、上端側軸１７を回転自在に保持する軸受部等を設けた態様としてもよい。
【００２１】
下端側中央ガイド体２２は、当該回転収納体１０の上下方向に沿う軸としての下端側軸２０と同軸状とされたローラー軸２４ａ廻りに、下端側中央ガイドローラー２４を回転自在に設けた構成とされている。この下端側中央ガイドローラー２４は、上端側中央ガイドローラー１９と同径状とされている。
下端側軸２０は、上端側軸１７と同軸状に設けられている。つまり、回転収納体１０の上下両側の軸１７，２０及び上下両側の中央ガイドローラー１９，２４のローラー軸１９ａ，２４ａは、互いに同軸状とされている。この下端側軸２０は、上記同様、回転収納体１０を収納させた状態で、箱体２の収納空間の平面視略中心に位置するように設けられ、また、下枠部１３の長手方向略中央に位置するように設けられている。本実施形態では、この下端側軸２０を下枠部１３に対して固定的に設け、この下端側軸２０を回転自在に保持する軸受部２１を下枠部１３の下面側に設けた構成としている。なお、このような態様に代えて、上記同様、下枠部１３に、下端側軸２０を回転自在に保持する軸受部等を設けた態様としてもよい。また、この下端側軸２０に一体的にローラー軸２４ａを設けた態様としてもよい。
【００２２】
また、本実施形態では、図２及び図４（ａ）に示すように、この下端側中央ガイド体２２に、間口方向に沿う軸としてのローラー軸２５ａ廻りに回転し下側のレール部３１の溝底３２ａを転動する支持ローラー２５を設けている。本実施形態では、この支持ローラー２５を、下端側中央ガイドローラー２４に一体的に設け、これら各ローラー２４，２５を有したローラーブロック２３を構成している。このローラーブロック２３は、例えば、下端側中央ガイドローラー２４を回転自在に保持するローラー軸２４ａに、支持ローラー２５を受け入れる下向き開口の切欠状の凹所とこの凹所に架け渡すようにローラー軸２５ａとを設けた構成とされたものとしてもよい。つまり、下端側中央ガイドローラー２４を保持するローラー軸２４ａを、支持ローラー２５を受け入れるように二股状とし、この二股状とされたローラー軸２４ａを包囲するように下端側中央ガイドローラー２４を取り付けた構成としてもよい。このような構成とすれば、支持ローラー２５を受け入れる凹所を形成する二股状とされたローラー軸２４ａが拡開するようなことを下端側中央ガイドローラー２４によって抑制することができる。
【００２３】
直進ガイド部２６は、図３及び図４に示すように、本実施形態では、下端側中央ガイドローラー２４の前方側に設けられている。また、この直進ガイド部２６を、上下方向に沿う軸としてのローラー軸２６ａ廻りに回転自在とされた直進ガイドローラー２６としている。
この直進ガイドローラー２６は、下端側中央ガイドローラー２４と同径状とされ、下端側中央ガイドローラー２４と間口方向で一致する位置となるように下端側中央ガイドローラー２４の前方側に設けられている。なお、直進ガイド部２６としては、このような上下方向に沿うローラー軸２６ａ廻りに回転自在とされたものに限られず、後記するレール部３１の両溝側壁３２ｂ，３２ｂに当接されて当該下端側中央ガイド体２２が直進するようにガイドするものであればよい。例えば、回転自在とされたものに代えて、両溝側壁３２ｂ，３２ｂに摺るように当接されるピン状やブロック状とされた直進ガイド部２６としてもよい。この場合は、直進ガイド部２６を、摺動性の良好なポリアセタール（ＰＯＭ）等の合成樹脂系材料から形成されたものや、合成樹脂系材料に油を含有させた含油ＰＯＭなどの含油プラスチックから形成されたものとしてもよい。
【００２４】
また、本実施形態では、下端側中央ガイド体２２に、これら下端側中央ガイドローラー２４及び直進ガイドローラー２６を覆うように下向き開口形状とされたガイドケース２７を設けた構成としている。このガイドケース２７は、各ガイドローラー２４，２６の上方側を覆うように設けられた上板部の前後両側端部から垂れ下がるように前後壁を設けた構成とされている。
図例では、このガイドケース２７に、直進ガイドローラー２６のローラー軸２６ａの上端部を保持させた構成としている。また、このガイドケース２７上に下端側軸２０の軸受部２１が設けられ、このガイドケース２７を貫通するようにローラー軸２４ａが設けられている。
【００２５】
回転収納体１０の上下の側部ガイド体２８，２８は、本実施形態では、互いに同様の構成とされている。これら側部ガイド体２８，２８は、平面視して互いに一致する位置となるように設けられている。これら側部ガイド体２８，２８は、後記するように、回転収納体１０が上下の回転機構部３０，３０にガイドされて回転する際に、回転収納体１０の上下の軸１７，２０を円心とする略円弧上を移動する構成とされている。
また、本実施形態では、これら側部ガイド体２８，２８を、上枠部１２及び下枠部１３の長手方向一方側半部の途中部位に設けた構成としている。また、本実施形態では、これら側部ガイド体２８，２８を、上下方向に沿う軸としてのローラー軸２８ａ，２８ａ廻りにそれぞれ回転自在とされた側部ガイドローラー２８，２８としている。
【００２６】
これら側部ガイドローラー２８，２８のローラー軸２８ａ，２８ａは、同軸状に設けられ、上枠部１２及び下枠部１３に、それぞれ上下方向外方側に向けて突出するように設けられている。なお、側部ガイドローラー２８，２８を、上枠部１２及び下枠部１３に固定されたローラー軸２８ａ，２８ａに回転自在に保持させた態様に代えて、上枠部１２及び下枠部１３に、ローラー軸２８ａ，２８ａを回転自在に保持する軸受部を設けた態様としてもよい。また、このような回転自在とされたものに代えて、上記同様、ピン状やブロック状とされた側部ガイド体２８，２８としてもよい。
【００２７】
上記構成とされた回転収納体１０をガイドする上下の回転機構部３０，３０は、本実施形態では、回転収納体１０が前後反転される際に、上下の中央ガイド体１８，２２が箱体２内において移動するように中央ガイド体１８，２２をガイドする構造とされている。本実施形態のように、下端側中央ガイドローラー２４の前方側に直進ガイド部２６を設けた構成とした場合には、回転収納体１０が前後反転される際に、少なくとも上下の中央ガイドローラー１９，２４（支持ローラー２５）が箱体２内において移動するようにガイドする構造としてもよい。
また、本実施形態では、回転機構部３０に、収納状態とされた回転収納体１０の移動を抑制する移動抑制部３３を設けている。
また、本実施形態では、これら上下の回転機構部３０，３０を、互いに同様の構成とし、互いに同寸同形状とされた部材が上下反転されて箱体２の天面３ａ及び底面４ａのそれぞれに、平面視して一致する位置となるように取り付けられる構成としている。なお、このように同様の構成であるので、これら上下の回転機構部３０，３０の具体的構成については、下側の回転機構部３０を例にとって説明する。
【００２８】
レール部３１は、図２及び図３に示すように、前後方向に沿って長尺とされている。
また、このレール部３１は、箱体２内の間口方向略中央に位置するように設けられている。また、このレール部３１は、箱体２内の奥行方向略中央部から前方に向けて延びるように設けられている。
また、本実施形態では、図５に示すように、回転収納体１０が回転される際に最前方位置とされた状態の中央ガイド体２２（１８）よりも前方側に更に延びるようにレール部３１を設けた構成としている。このような構成とすれば、箱体２や回転収納体１０の間口寸法が、例えば、１００ｍｍ〜３００ｍｍ程度、大きい寸法とされたものにも適用可能となる。なお、このような態様に代えて、回転収納体１０が回転される際に最前方位置とされた状態の中央ガイド体２２（１８）の受け入れが可能なようにレール部３１を設けた構成としてもよい。また、図例では、このレール部３１を、その前端が箱体２の前端よりも後方側に僅かに控えた位置となるように設けた例を示している。このレール部３１は、箱体２の底面４ａ（天面３ａ）に、適宜、ねじ等の止具によって固定される。
【００２９】
また、本実施形態では、レール部３１を、当該回転収納装置１の上下方向中央側及び前方側に向けて開口し前後方向に延びるガイド溝３２を設けた構成としている。このガイド溝３２は、溝長手方向に見て略矩形状とされた略矩形溝状とされ、全長に亘って溝幅及び溝深さが同寸法とされており、溝底３２ａと両側の溝側壁３２ｂ，３２ｂと前方に向く後端壁３２ｃとによって区画されている。
このガイド溝３２の溝幅寸法（両溝側壁３２ｂ，３２ｂ間の間口方向に沿う寸法）は、上記した各ガイドローラー２４，２６（１９）の外径に応じた寸法とされている。つまり、ガイド溝３２の溝幅寸法を、各ガイドローラー２４，２６（１９）の外周面が一方の溝側壁３２ｂに当接して転動するように両溝側壁３２ｂ，３２ｂに僅かなクリアランスを隔てて近接対面するような寸法としている。
【００３０】
また、このガイド溝３２の溝底３２ａ上を、上記した下端側中央ガイド体２２の支持ローラー２５が転動する構成とされている。
また、このガイド溝３２の後端壁３２ｃに、中央ガイド体２２（１８）が当接し、中央ガイド体２２（１８）の後方側への更なる移動が抑制される。図例では、下側のレール部３１のガイド溝３２の後端壁３２ｃに、下端側中央ガイド体２２のガイドケース２７の後壁が当接される構成とした例を示している。また、上側のレール部３１のガイド溝３２の後端壁３２ｃに、上端側中央ガイドローラー１９が当接される緩衝部材を設けた例を示している。なお、下側のレール部３１のガイド溝３２の後端壁３２ｃにも緩衝部材を設けるようにしてもよい。
【００３１】
また、本実施形態では、このレール部３１に、収納状態とされた回転収納体１０の移動を抑制する移動抑制部３３を設けている。また、移動抑制部３３を、収納状態とされた回転収納体１０の中央ガイド体２２（１８）の前方側への移動を抑制する構成としている。また、本実施形態では、移動抑制部３３を、回転収納体１０を回転させるべく人力等の所定以上の負荷が掛けられれば、回転収納体１０の移動（前後反転）を許容する構成としている。
本実施形態では、図４（ｂ）に示すように、移動抑制部３３を、レール部３１のガイド溝３２の溝幅方向に概ね弾性変形可能とされた板ばね状の移動抑制ばね３３としている。また、溝幅方向両側に移動抑制ばね３３，３３をそれぞれに設けた構成としている。
【００３２】
これら移動抑制ばね３３，３３は、レール部３１の長手方向に沿って長尺状とされており、長手方向一端部となるそれぞれの前端部を、レール部３１のガイド溝３２の両溝側壁３２ｂ，３２ｂを構成する両側板部に固定した構成とされている。つまり、これら移動抑制ばね３３，３３は、長手方向他端側となるそれぞれの後端側が自由端側とされ、それぞれの後端側がガイド溝３２の溝幅方向に移動するように弾性変形する構成とされている。
また、これら移動抑制ばね３３，３３の長手方向他端部となるそれぞれの後端部には、互いに向き合う方向となる溝幅方向中央に向けて突出するように突出部３３ａ，３３ａが設けられている。図例では、各移動抑制ばね３３，３３の後端部を屈曲させるようして突出部３３ａ，３３ａを設けた例を示している。
【００３３】
また、本実施形態では、これら移動抑制ばね３３，３３の突出部３３ａ，３３ａが中央ガイドローラー２４（１９）の前方側半部両側の外周面に弾性的に当接し、収納状態とされた回転収納体１０の中央ガイドローラー２４（１９）の前方側への移動を抑制する構成としている。
これら移動抑制ばね３３，３３は、図４（ｂ）の二点鎖線にて示すように、中央ガイドローラー２４（１９）の外周面に弾性的に当接し得るように、自然状態では、当接した状態よりも互いの突出部３３ａ，３３ａが近接する構成とされている。また、これら移動抑制ばね３３，３３は、図４（ｂ）の二点鎖線にて示すように、上記のように所定以上の負荷が掛けられ、中央ガイドローラー２４（１９）が前方側へ移動する際には、それぞれの弾性変形を伴い互いの突出部３３ａ，３３ａが離反する構成とされている。つまり、回転収納体１０の回転がなされる際には、中央ガイドローラー２４（１９）が移動抑制ばね３３，３３の付勢に抗して突出部３３ａ，３３ａを乗り越えるようにして移動する構成とされている。
【００３４】
なお、図例では、移動抑制ばね３３，３３を、レール部３１とは別体とした例を示しているが、レール部３１の両側板部に切り起こし状にこれらを一体的に設けた態様等としてもよい。
また、移動抑制部３３としては、板ばね状とされたものに限られず、バンプ状（隆起状）等とされたものやマグネットキャッチ状のものとしてもよい。さらには、このように所定以上の負荷を掛ければ回転収納体１０の移動（回転）が可能とされたものに限られず、移動させる際には、手動解除が必要となるようなものとしてもよい。
また、移動抑制部３３を、中央ガイド体２２（１８）の前方側への移動を抑制するようにレール部３１に設けた態様に限られず、側部ガイド体（側部ガイドローラー）２８の移動を抑制するように、後記する湾曲ガイド溝３５等に設けた態様としてもよい。収納状態とされた回転収納体１０の移動を抑制する移動抑制部３３としては、その他、種々の態様とされたものとしてもよい。
【００３５】
湾曲ガイド溝３５は、上下方向中央側に向けて開口するように設けられ、概ね間口方向に延びるように設けられている。本実施形態では、湾曲ガイド溝３５を、箱体２の底面４ａ（天面３ａ）に、適宜、ねじ等の止具によって固定される板状のガイドプレート３４に設けた構成としている。図例では、ガイドプレート３４を、箱体２の底面４ａ（天面３ａ）側の基材とこの基材を覆うように設けた薄板材とを積層した構造としている。
なお、このガイドプレート３４と上記したレール部３１とを一体的に設けた構成としてもよい。また、図例では、間口方向に長尺なガイドプレート３４と前後方向に長尺なレール部３１とによって平面視して略Ｔ字状とされた回転機構部３０を例示しているが、このような態様に限られない。例えば、平面視して略矩形状とされた回転機構部３０としてもよく、また、箱体２の底面４ａ（天面３ａ）を全体に亘って覆うような回転機構部３０としてもよい。さらには、湾曲ガイド溝３５及びレール部３１のガイド溝３２の両方または一方を、箱体２の底面部４（天面部３）に直接的または埋込状に設けた態様等としてもよい。
【００３６】
この湾曲ガイド溝３５は、図３に示すように、平面視して奥側に凸となるように湾曲状とされた間口方向中央側の湾曲溝部３６と、この湾曲溝部３６の間口方向両側に間口方向に延びるように設けられた直線溝部３７，３７と、を連なるように設けた構造とされている。
この湾曲ガイド溝３５は、溝長手方向に見て略矩形状とされた略矩形溝状とされ、全長に亘って溝幅及び溝深さが同寸法とされている（図４（ａ）参照）。
また、この湾曲ガイド溝３５の溝幅寸法は、上記した側部ガイドローラー２８の外径に応じた寸法とされている。つまり、湾曲ガイド溝３５の溝幅寸法を、側部ガイドローラー２８の外周面が一方の溝側壁に当接して転動するように両溝側壁に僅かなクリアランスを隔てて近接対面するような寸法としている。なお、図例では、上記のように積層されたガイドプレート３４の基材側に設けた凹状の湾曲ガイド溝の溝幅よりも、湾曲ガイド溝３５の開口側を構成する薄板材側に設けた貫通状の湾曲ガイド溝の溝幅を大きくした例を示しているが、これらを同幅としてもよい。
また、図例では、側部ガイドローラー２８の一部を湾曲ガイド溝３５外に露出させた態様としているが、側部ガイドローラー２８の全体を湾曲ガイド溝３５に収容させた態様としてもよい。
【００３７】
湾曲溝部３６は、直線溝部３７，３７との境界部となる間口方向両側端部が箱体２の収納空間の奥行方向略中央部に位置するように設けられている。また、湾曲溝部３６は、両側の直線溝部３７，３７から離れるに従い、つまり間口方向中央部に向かうに従い収納空間の奥側に位置するように、かつ最奥側部位が収納空間の間口方向中央部に位置するように設けられている。
この湾曲溝部３６は、図５（ａ）〜（ｃ）に示すように、回転収納体１０が回転される際に、最前方位置とされた状態の回転収納体１０の上下の軸１７，２０を円心とする略円弧状とされている。この湾曲溝部３６の中心角や曲率半径は、収納空間の奥行寸法や間口寸法、回転収納体１０の収納部としての棚板１６の平面視形状等に応じて、回転収納体１０が回転される際に箱体２に接触しないように、適宜、設定するようにすればよい。この湾曲溝部３６の中心角は、例えば、８０°〜１００°程度としてもよい。つまりは、湾曲溝部３６を、概ね四半円程度の円弧状としてもよい。また、この湾曲溝部３６の曲率半径は、図５及び図６に示すように、収納空間（回転収納体１０）の奥行寸法に対する間口寸法の比が大きくなるに従い大きくするようにしてもよい。
【００３８】
直線溝部３７，３７は、湾曲溝部３６の間口方向両側端部に連なるように設けられている。これら直線溝部３７，３７は、箱体２の収納空間の奥行方向略中央部に位置するように、かつ間口方向に延びるように設けられている。また、これら直線溝部３７，３７と湾曲溝部３６との境界部は、側部ガイドローラー２８が滑らかに移動するように、湾曲状とされている。
これら両側の直線溝部３７，３７に、回転収納体１０を収納させた状態並びに回転収納体１０を回転させる際の初期及び終期の状態で、側部ガイドローラー２８が位置する（図３及び図５（ｄ）参照）。
また、本実施形態では、回転収納体１０を収納させた状態の側部ガイドローラー２８の間口方向外方側に更に延びるように直線溝部３７，３７を設けた構成としている。このような構成とすれば、箱体２や回転収納体１０の間口寸法が、例えば、１００ｍｍ〜２００ｍｍ程度、大きい寸法とされたものにも適用可能となる。なお、このような態様に代えて、間口方向外方側に最も位置した状態の側部ガイドローラー２８の受け入れが可能なように直線溝部３７，３７を設けた構成としてもよい。
【００３９】
上記構成とされた回転収納装置１は、図３及び図５に示すように、以下のように回転収納体１０が回転されて前後反転される。
回転収納体１０を収納させた状態から回転収納体１０を回転させる際の初期の状態では、側部ガイドローラー２８が湾曲ガイド溝３５の一方の直線溝部３７に沿って間口方向中央側に移動しながら中央ガイドローラー２４（１９）が前方に移動する。このように中央ガイドローラー２４（１９）が前方に移動することで、箱体２の奥側面５ａとの間に回転収納体１０を回転させるための空間が形成される。
【００４０】
そして、側部ガイドローラー２８が湾曲ガイド溝３５の湾曲溝部３６に至れば、中央ガイドローラー２４（１９）を略回動支点として回転収納体１０が回転するように、側部ガイドローラー２８が湾曲溝部３６に沿って円弧を描くように移動する。そして、回転収納体１０を回転させる際の終期の状態、つまり、側部ガイドローラー２８が他方の直線溝部３７に至れば、側部ガイドローラー２８がこの他方の直線溝部３７に沿って間口方向外方側に移動しながら中央ガイドローラー２４（１９）が後方に移動する。これにより、回転収納体１０が上下の軸１７，２０廻りに１８０°回転されて、その前後が反転された状態となる。このように、当該回転収納装置１は、回転収納体１０の上下の軸１７，２０を前後方向に移動させながら回転収納体１０を軸１７，２０廻りに回転させることで、回転収納体１０の前後を入れ替え（切り替え）可能としている。
【００４１】
本実施形態に係る収納装置（回転収納装置）１は、上述のような構成としたことで、箱体２の奥行寸法を効率的に小さくすることが可能でありながらも、収納体（回転収納体）１０を前後反転させる際における回転収納体１０の前方への突出量を低減させることができる。
つまり、上下方向に沿う軸１７，２０廻りに回転されて前後反転可能とされた回転収納体１０を保持する上下の回転機構部３０，３０を、前方に開口する箱体２に設けた構成としている。従って、回転収納体１０に効率的に被収納物を収納させたり、回転収納体１０を回転させることで、被収納物を取り出し易くしたりすることができる。
また、上下の回転機構部３０，３０に、回転収納体１０の上下両端部のそれぞれに設けられた中央ガイド体１８，２２を、軸１７，２０とともに前後方向に移動自在にガイドする上下のレール部３１，３１を設けている。従って、上述のように、回転収納体１０の軸１７，２０を箱体２に対して前後方向に移動させながら回転収納体１０を回転させることができる。これにより、回転収納体１０を回転させる際に、回転収納体１０が箱体２に収納された状態よりも後方側に突出するようなことを防止することができる。つまり、箱体２に収納された状態の回転収納体１０の奥側に必要となる回転収納体１０の回転用の空間を小さくすることができ、回転収納体１０の収納部（棚板１６）の奥行寸法を確保しながらも箱体２の奥行寸法を効率的に小さくすることができる。
【００４２】
また、上下の回転機構部３０，３０に、回転収納体１０の上下両端部のそれぞれに設けられた側部ガイド体（側部ガイドローラー）２８，２８を、間口方向中央部に向かうに従い奥側に移動させるようにガイドする上下の湾曲ガイド溝３５，３５を設けている。従って、中央ガイド体１８，２２と側部ガイド体２８，２８とを、それぞれレール部３１，３１及び湾曲ガイド溝３５，３５に沿って移動させながら、回転収納体１０を概ね一定の軌跡上を移動させるようにして前後反転させることができる。また、回転収納体１０を前後反転させる際に、回転収納体１０の側部ガイド体２８，２８が、間口方向中央部に向かうに従い奥側に移動する。従って、回転収納体１０が大きく突出する９０°回転させた状態（図５（ｂ）に示す状態）における突出量を、連結アームによってガイドする構造としたものと比べて、低減させることができる。これにより、回転収納体１０を前後反転させる際に必要となる箱体２の前方側のスペースを小さくすることができ、回転収納体１０を前後反転させる際における操作性を向上させることができる。また、中央ガイド体１８，２２の前方側への移動量も低減させることができ、回転収納体１０を安定的に移動させることができる。
【００４３】
また、本実施形態では、回転機構部３０，３０を、回転収納体１０が前後反転される際に、中央ガイド体１８，２２が箱体２内において移動するように中央ガイド体１８，２２をガイドする構造としている。従って、例えば、回転収納体１０が前後反転される際に、中央ガイド体１８，２２が箱体２よりも前方に突出するようなものと比べて、被収納物を収納する回転収納体１０の荷重を、箱体２によって安定的に受けることができる。なお、このような態様に代えて、回転収納体１０が前後反転される際に、中央ガイド体１８，２２が箱体２よりも前方に突出するようなものとしてもよい。
【００４４】
また、本実施形態では、回転機構部３０，３０に、収納状態とされた回転収納体１０の移動を抑制する移動抑制部（移動抑制ばね）３３を設けている。従って、回転収納体１０が意図せずに、箱体２から前方に突出するようなことを抑制することができる。なお、このような移動抑制部３３を設けないようにしてもよい。
【００４５】
また、本実施形態では、回転収納体１０の上下両端部に設けられた中央ガイド体１８，２２の両方または一方（本実施形態では、両方の中央ガイド体１８，２２）を、上下方向に沿う軸１９ａ，２４ａ廻りに回転する中央ガイドローラー１９，２４を備えた構成としている。従って、この中央ガイド体１８，２２を、レール部３１，３１に沿ってスムーズに移動させることができる。
また、本実施形態では、一方の中央ガイド体（本実施形態では、下端側中央ガイド体２２）を、中央ガイドローラー２４から前後方向に間隔を空けて設けられレール部３１の両溝側壁３２ｂ，３２ｂに当接されて当該中央ガイド体２２が直進するようにガイドする直進ガイド部２６を備えた構成としている。従って、レール部３１に沿って前後方向に移動させる際における中央ガイド体２２の横振れを抑制することができ、回転収納体１０を安定的に前後反転させることができる。なお、上端側の中央ガイド体１８にも同様の直進ガイド部を設けるようにしてもよく、さらには、上下両側の中央ガイド体１８，２２のいずれにも直進ガイド部を設けないようにしてもよい。
【００４６】
また、本実施形態では、回転収納体１０の下端側中央ガイド体２２に、間口方向に沿う軸２５ａ廻りに回転し下側のレール部３１の溝底３２ａを転動する支持ローラー２５を設けている。従って、回転収納体１０の荷重を、下側のレール部３１によって安定的に受けることが可能でありながらも、回転収納体１０の下端側中央ガイド体２２をスムーズに前後方向に移動させることができる。
また、本実施形態では、上下方向に沿う軸２４ａ廻りに回転する中央ガイドローラー２４に一体的に支持ローラー２５を設けているので、これらを前後に間隔を空けて設けたようなものと比べて、コンパクト化を図ることができる。
【００４７】
なお、上記のような態様に代えて、上下方向に沿う軸２４ａ廻りに回転するガイドローラー２４と間口方向に沿う軸２５ａ廻りに回転する支持ローラー２５とを前後に間隔を空けて設けた態様としてもよい。この場合は、間口方向に沿う軸２５ａ廻りに回転する支持ローラー２５を中央に設け、上下方向に沿う軸２４ａ廻りに回転するガイドローラー２４を直進ガイド部として把握するような態様としてもよい。また、例えば、中央に設けた支持ローラー２５の前後方向一方側にガイドローラー２４を設け、前後方向他方側に直進ガイド部２６を設けた態様としたり、複数の支持ローラー２５を前後に設けた態様としたりしてもよい。さらには、このような支持ローラー２５を設けないようにしてもよい。
また、上下の中央ガイド体１８，２２を構成する中央ガイドローラー１９，２４を回転自在とした態様に代えて、上記同様、ピン状やブロック状としてもよい。さらには、上下の中央ガイド体１８，２２の両方または一方を、回転機構部３０のレール部３１にスライド自在に係合する係合レールとしてもよい。
また、本実施形態のように回転収納体１０を下荷重型で保持する態様に代えて、上吊型で保持する態様としてもよい。この場合は、上側のレール部３１や上端側中央ガイド体１８を、適宜、変形するようにすればよい。
【００４８】
次に、本発明の他の実施形態に係る収納装置の一例について図面を参照して説明する。
図６は、第２実施形態に係る収納装置としての回転収納装置の一例を模式的に示す図である。
なお、上記した第１実施形態との相違点について主に説明し、同様の構成については、同一符号を付し、その説明を省略または簡略に説明する。
【００４９】
本実施形態に係る回転収納装置１Ａは、箱体２Ａの奥行寸法に対する間口寸法の比が上記第１実施形態よりも大きい寸法とされ、これに応じて、回転収納体１０Ａの枠体１１Ａ及び棚板１６Ａの間口寸法も上記第１実施形態よりも大きい寸法とされている。また、回転収納体１０Ａの上下両側に設けられた中央ガイドローラー２４（１９）から側部ガイドローラー２８までの寸法も上記第１実施形態よりも大きい寸法とされている。また、これに応じて、回転機構部３０Ａのガイドプレート３４Ａに設けた湾曲ガイド溝３５Ａの湾曲溝部３６Ａの曲率半径も上記第１実施形態よりも大きい寸法とされている。
【００５０】
このような構成とされた回転収納装置１Ａにおいては、回転収納体１０Ａが収納状態では、側部ガイドローラー２８が上記第１実施形態よりも直線溝部３７Ａの間口方向外方側に位置する。また、回転収納体１０Ａが回転される際には、中央ガイドローラー２４（１９）が上記第１実施形態よりもレール部３１Ａの前方側に位置する。つまりは、回転収納体１０Ａの奥行寸法に対する間口寸法の比が大きくなるに従い、回転収納体１０Ａを回転させる際に必要となる奥側の空間が大きくなるため、回転収納体１０Ａの前方側への突出量が大きくなることとなる。
本実施形態に係る回転収納装置１Ａにおいても、上記第１実施形態と概ね同様の効果を奏する。
【符号の説明】
【００５１】
１，１Ａ      回転収納装置（収納装置）
２，２Ａ      箱体
１０，１０Ａ  回転収納体（収納体）
１７          上端側軸（上下方向に沿う軸）
１８          上端側中央ガイド体
２０          下端側軸（上下方向に沿う軸）
２２          下端側中央ガイド体
２４          下端側中央ガイドローラー（一方の中央ガイド体のガイドローラー）
２４ａ        ローラー軸（上下方向に沿う軸）
２５          支持ローラー
２５ａ        ローラー軸（間口方向に沿う軸）
２６          直進ガイドローラー（直進ガイド部）
２８          側部ガイドローラー（側部ガイド体）
３０，３０Ａ  回転機構部
３１，３１Ａ  レール部
３２ａ        溝底
３２ｂ        溝側壁
３３          移動抑制ばね（移動抑制部）
３５，３５Ａ  湾曲ガイド溝
【図１】
0006587224.tif 000002
【図２】
0006587224.tif 000003
【図３】
0006587224.tif 000004
【図４】
0006587224.tif 000005
【図５】
0006587224.tif 000006
【図６】
0006587224.tif 000007